(57)【要約】【課題】給湯の吹出は常に金網ストレーナの側面から行い、戻湯の吸込は常に金網ストレーナの前面及び側面から行うことができるようにして、安全性をはかると共に、給湯及び戻湯の流量を大きくし、お湯張り及び追いだき性能を向上させた浴槽湯口装置を提供する。【解決手段】給湯通路及び戻湯通路の金具３０の給湯通路３１に連通するフランジ付き雄ねじ筒２０内の第１湯管１４の前端に接続する第１筒１１であって、筒側面に第１流通口１１０を形成したものを設け、金具３０の戻湯通路３２に連通する雄ねじ筒２０の内筒２５及び第２湯管１５の前端に接続する第２筒１２であって、筒側面に第２流通口１２０を形成したものを設け、第１筒１１の出口１１１が開いて第２筒１２の出口１２１を閉じるか、又は、第１筒１１の出口１１１を閉じて第２筒１２の出口１２１が開くようにしたシーソ状弁板１３を設けたもの。【選択図】    図１
2004245437.tif 000002
【特許請求の範囲】
【請求項１】
金網ストレーナ４０、前記金網ストレーナ４０内に収納される浴槽湯口装置１０、前記浴槽湯口装置１０に接続されるフランジ付き雄ねじ筒２０、前記フランジ付き雄ねじ筒２０に接続される給湯通路及び戻湯通路の金具３０、前記給湯通路及び戻湯通路の金具３０に連結する給湯配管及び戻湯配管、前記給湯配管及び戻湯配管に連結する循環風呂釜装置において、前記浴槽湯口装置１０が、前記給湯通路及び戻湯通路の金具３０の給湯通路３１に連通する前記フランジ付き雄ねじ筒２０内の第１湯管１４の前端に接続する第１筒１１であって、筒側面に第１流通口１１０を形成したものを設け、前記給湯通路及び戻湯通路の金具３０の戻湯通路３２に連通する前記フランジ付き雄ねじ筒２０の内筒２５及び第２湯管１５の前端に接続する第２筒１２であって、筒側面に第２流通口１２０を形成したものを設け、前記第１筒１１の出口１１１が開いて前記第２筒１２の出口１２１を閉じるか又は、前記第１筒１１の出口１１１を閉じて前記第２筒１２の出口１２１を開くようにしたシーソ状弁板１３を設け、追いだき運転時には、前記第１筒１１の出口１１１を開いて前記第２筒１２の出口１２１を閉じて給湯し、戻湯を前記第２筒１２の第２流通口１２０から流入させるか、前記第２筒１２の出口１２１を開いて前記第１筒１１の出口１１１を閉じて給湯し、戻湯を前記第１筒１１の第１流通口１１０から流入させてなり、前記給湯通路及び戻湯通路の金具３０の接続口３１１、３２１が前記給湯配管又は前記戻湯配管のいずれにも連結できるようにしたことを特徴とする浴槽湯口装置。
【請求項２】
前記浴槽湯口装置１０が、前記フランジ付き雄ねじ筒２０と接続するために、前記フランジ付き雄ねじ筒２０の内周面２３に刻設した、多数の細かい円周状山形突条２４に対応して嵌入できるようにした、多数の細かい山形突条１６を外周面１０２に形成していることを特徴とした浴槽湯口装置。
【発明の詳細な説明】
【０００１】
【発明の属する技術分野】
本発明は、浴槽の湯口に設けられる給湯の吹出し及び戻湯の吸い込みを行う新規な浴槽湯口装置に関する。
【０００２】
【従来の技術】
従来、この種の浴槽湯口装置には、特開平１１−２８７５２０号公報に示されるように、第１筒２１及び第２筒３１に、往復動できるようにすると共に前面板４３、５３と閉塞板４５、５５とを設けた第１往復動体４０及び第２往復動体５０を内嵌し、往復動体４０又は５０が筒２１又は３１から突出するときは、筒先から給湯を吹出すと共に閉塞板４５又は５５が吸込口２２又は３２を閉塞して戻湯の吸込を中止し、往復動体４０又は５０が筒２１又は３１に没入するときは、前面板４３又は５３が筒先を閉塞して給湯の吹出しを中止すると共に閉塞板４５又は５５が吸込口２２又は３２を開口して戻湯の吸込できるように形成して、給湯配管接続口６１及び戻湯配管接続口６２のいずれにも給湯配管又は戻湯配管を接続できるようにし、浴槽湯口の金網ストレーナ１１から吹き出す熱湯による事故防止をはかることができるようになったが、装置が複雑化するためコスト高になる、取付けがネジ止めのため作業が面倒であるなどの欠点が避けられなかった。
そこで、本発明者は、図７に示すように、パイプ１１（１２）の一端１４（１５）から流入した給湯は、他端１１１（１２１）が弁１３により開放されているときは、途中に小穴１１０（１２０）１１０Ｂ（１２０Ｂ）があっても殆ど小穴１１０（１２０）及び１１０Ｂ（１２０Ｂ）から流出することなく、他端１１１（１２１）に流出して給湯し、他端１１１（１２１）を弁１３で閉じたとき、小穴１１０（１２０）から戻湯を流入させることにより、追だき運転できることを見出し、本発明を完成した。
また、本発明者は、浴槽湯口装置をフランジ付き雄ねじ筒に接続する際に、両者をネジ止めする代わりに、両者を噛合して嵌合させる構造にすることにより、作業が簡略化できることを見出し、本発明を完成した。
【０００３】
【発明が解決しようとする課題】
本発明は、給湯配管及び戻湯配管の接続間違いが全く起きることがなく、湯吹出吸込機能の故障発生を完全に防止した浴槽湯口装置を提供するものである。
また、本発明は、給湯配管と戻湯配管のそれぞれの接続口をどちらに変更しても、給湯の吹出は常に金網ストレーナの側面から行い、戻湯の吸込は常に金網ストレーナの前面及び側面から行うことができるようにして、安全性をはかると共に、吹出口の金網を廃止して急速出湯ができるようにした浴槽湯口装置を提供するものである。
また、本発明は、給湯及び戻湯の流量が大きく浴槽湯循環の追いだき性能を向上させた浴槽湯口装置を提供するものである。
また、本発明は、部品の組合せ、取り付け作業が簡単迅速にできる浴槽湯口装置を提供するものである。
さらに、本発明は、部品数が少なく、小型化でき、大幅な製作コストの削減をはかることができる浴槽湯口装置を提供するものである。
【０００４】
【課題を解決するための手段】
本発明浴槽湯口装置は、上記課題を達成するため、図示するように、金網ストレーナ４０、前記金網ストレーナ４０内に収納される浴槽湯口装置１０、前記浴槽湯口装置１０に接続されるフランジ付き雄ねじ筒２０、前記フランジ付き雄ねじ筒２０に接続される給湯通路及び戻湯通路の金具３０、前記給湯通路及び戻湯通路の金具３０に連結する給湯配管及び戻湯配管、前記給湯配管及び戻湯配管に連結する循環風呂釜装置において、前記浴槽湯口装置１０が、前記給湯通路及び戻湯通路の金具３０の給湯通路３１に連通する前記フランジ付き雄ねじ筒２０内の第１湯管１４の前端に接続する第１筒１１であって、筒側面に第１流通口１１０を形成したものを設け、前記給湯通路及び戻湯通路の金具３０の戻湯通路３２に連通する前記フランジ付き雄ねじ筒２０の内筒２５及び第２湯管１５の前端に接続する第２筒１２であって、筒側面に第２流通口１２０を形成したものを設け、前記第１筒１１の出口１１１が開いて前記第２筒１２の出口１２１を閉じるか又は、前記第１筒１１の出口１１１を閉じて前記第２筒１２の出口１２１が開くようにしたシーソ状弁板１３を設け、追いだき運転時には、前記第１筒１１の出口１１１を開いて前記第２筒１２の出口１２１を閉じて給湯し、戻湯を前記第２筒１２の第２流通口１２０から流入させるか、前記第２筒１２の出口１２１を開いて前記第１筒１１の出口１１１を閉じて給湯し、戻湯を前記第１筒１１の第１流通口１１０から流入させてなり、前記給湯通路及び戻湯通路の金具３０の接続口３１１、３２１が前記給湯配管又は前記戻湯配管のいずれにも連結できるようにしたものである。
また、本発明浴槽湯口装置は、上記課題を達成するため、図示するように、前記浴槽湯口装置１０が、前記フランジ付き雄ねじ筒２０と接続するために、前記フランジ付き雄ねじ筒２０の内周面２３に刻設した、多数の細かい円周状山形突条２４に対応して嵌入できるようにした、多数の細かい山形突条１６を外周面１０２に形成したものである。
本発明の原理を図１により説明すると、追だき運転時は、循環風呂釜装置（図示しない）から給湯配管（図示しない）を介して、金具３０の接続口３１１及び給湯通路３１を通じて流入した給湯は、第１湯管１４を経て第１筒１１の出口１１１から流出して金網ストレーナ４０の側面から浴槽内に流出する。このとき第１筒１１の筒側面に設けた第１流通口１１０からは殆ど流出しない。これに対し、浴槽内の戻湯は金網ストレーナ４０の前面及び側面から第２流通口１２０に流入してシーソ弁１３により出口１２１が閉鎖された第２筒１２から第２湯管１５及びフランジ付き雄ねじ筒２０の内筒２５を経て、金具３０の戻湯通路３２及び接続口３２１から戻り湯配管（図示しない）を介して循環風呂釜装置（図示しない）に流入することになる。
また、循環風呂釜装置（図示しない）から給湯配管（図示しない）を介して、金具３０の接続口３２１及び戻湯通路３２に接続した場合は、給湯は、フランジ付き雄ねじ筒２０の内筒２５から第２湯管１５を経て第２筒１２の出口１２１からシーソ弁板１３を開いて流出し金網ストレーナ４０の側面から浴槽内に流出する。このとき第２筒１２の筒側面に設けた第２流通口１２０からは殆ど流出しない。これに対し、浴槽内の戻湯は金網ストレーナ４０の前面及び側面から第１流通口１１０に流入してシーソ弁１３により出口１１１が閉鎖された第１筒１１から第１湯管１４を経て、金具３０の給湯通路３１及び接続口３１１から戻湯配管（図示しない）を介して循環風呂釜装置（図示しない）に流入することになる。すなわち、本発明では、給湯配管又は戻湯配管を、給湯通路及び戻湯通路を形成する金具３０の接続口３１１又は３２１のいずれに接続しても、常に、金網ストレーナ４０の側面から給湯が流出し、前面及び側面から戻湯が流入することになる。
【０００５】
【発明の実施の形態】
本発明の実施の形態が図１乃至図６に示されている。
図２及び図３に示すように、本発明装置を含む全体装置は、金網ストレーナ４０、前記金網ストレーナ４０内に収納される浴槽湯口装置１０、前記浴槽湯口装置１０に接続されるフランジ付き雄ねじ筒２０、前記フランジ付き雄ねじ筒２０に接続される給湯通路及び戻湯通路の金具３０、前記給湯通路及び戻湯通路の金具３０に連結する給湯配管及び戻湯配管（図示しない）、前記給湯配管及び戻湯配管に連結する循環風呂釜装置（図示しない）からなっている。
金網ストレーナ４０は、ステンレス板をトレイ状に成型して側面に吐出穴４１を打ち抜くと共に、前面にメッシュ窓４２を打ち抜いたもので、中心穴４３を浴槽湯口装置１０にビス止めして固着している。なお、ビス止めの代わりに金網ストレーナ４０を浴槽湯口装置１０に嵌合できるようにしてもよい。
浴槽湯口装置１０は、第１筒１１と第２筒１２と、図４及び図５に示すように、第１筒１１と連通するように連設した第１湯管１４と、第２筒１２に連通するように連設すると共に、第１湯管１４の外周面に沿って設けた第２湯管１５とからなっている。第１筒１１には筒側面に第１流通口１１０を形成し、第２筒１２には筒側面に第２流通口１２０を形成している。  また、第２湯管１５の外周面後端には多数の細かい山形突条１６と円周突条１７を形成している。
フランジ付き雄ねじ筒２０は、図６に示すように、フランジ２１と、筒外周面の雄ねじ２２と、内周面２３の前端に刻設した多数の細かい山形突条２４であって前記第２湯管１５の外周面に形成した山形突条１６に外嵌して噛合するものと、円周突条２６と、浴槽湯口装置１０の第２湯管１５と連通する湯筒２５とを設けている。
給湯通路及び戻湯通路の金具３０は、第１湯管１４に外嵌して連通する内筒部３０１と、雄ねじ筒２０の雄ねじ２２に外嵌してめねじ３５で螺合し、湯筒２５と連通する外筒部３０２と、給湯配管（図示しない）に接続する給湯通路３１及び接続口３１１と戻湯配管（図示しない）に接続する戻湯通路３２及び接続口３２１とゴムパッキン３４を外嵌したフランジ部３３とを設けている。
従って、追だき運転時には、図２に示すように、循環風呂釜装置（図示しない）から給湯配管（図示しない）を介して、金具３０の接続口３１１及び給湯通路３１を通じて流入した給湯は、第１湯管１４を経て第１筒１１の出口１１１から流出して金網ストレーナ４０の側面から浴槽内に流出する。このとき第１筒１１の筒側面に設けた第１流通口１１０からは殆ど流出しない。また、第１湯管１４を経て第１筒１１の出口１１１から金網ストレーナ４０の側面より流出する給湯は、途中に従来のような往復動体や屈曲流路がないので大容量で流出する。浴槽内の戻湯は、金網ストレーナ４０の前面及び側面から第２流通口１２０に流入してシーソ弁１３により出口１２１が閉鎖された第２筒１２から第２湯管１５及びフランジ付き雄ねじ筒２０の内筒２５を経て、金具３０の戻湯通路３２及び接続口３２１から戻り湯配管（図示しない）を介して循環風呂釜装置（図示しない）に流入し循環することになる。
なお、循環風呂釜装置（図示しない）から給湯配管（図示しない）を、金具３０の接続口３２１及び戻湯通路３２に接続した場合は、追だき運転時の給湯は、フランジ付き雄ねじ筒２０の内筒２５から第２湯管１５を経て、第２筒１２の出口１２１からシーソ弁板１３を開いて流出し、金網ストレーナ４０の側面から浴槽内に前述した理由により大きな流量で流出する。このとき第２筒１２の筒側面に設けた第２流通口１２０からは殆ど流出しない。また、浴槽内の戻湯は金網ストレーナ４０の前面及び側面から第１流通口１１０に流入してシーソ弁板１３により出口１１１が閉鎖された第１筒１１から第１湯管１４を経て、金具３０の給湯通路３１及び接続口３１１から戻湯配管（図示しない）を介して循環風呂釜装置（図示しない）に流入し循環することになる。
本発明装置１０をフランジ付き雄ねじ筒２０に取りつけるときは、本発明装置１０の円周状の山形突条１６を、フランジ付き雄ねじ筒２０の山形突条２４に噛合するように嵌入して、本発明装置１０の円周状の突条１７を雄ねじ筒２０の内周面２３の突条２６を乗り越えるように押し込めば、本発明装置１０とフランジ付き雄ねじ筒２０とは迅速に嵌着できる。その際、本発明装置１０はフランジ付き雄ねじ筒２０とどのような方向にも噛合して嵌着できる。
【０００６】
【発明の効果】
以上のように、本発明によれば、お湯張り及び追だき運転時には、大流量で浴槽に迅速に給湯することができると共に、循環風呂釜装置の給湯配管及び戻湯配管を給湯通路及び戻湯通路の金具のいずれの接続口に連結しても、浴槽の給湯は常に金網ストレーナの側面から行い、戻湯は常に金網ストレーナの前面及び側面から行うことができ安全を確保できることになる。
また、本発明によれば、浴槽湯口装置は極めて簡単な構造で済み、部品数も少なく故障が発生する恐れも全くなく、安価に製作できる利点がある。その上、本発明浴槽湯口装置をフランジ付き雄ねじ筒に接続するには、従来、ビス止めで行われ面倒な作業だったが、雄ねじ筒にそのまま嵌入するだけで済み、作業の大幅な簡単化能率化を図ることができるなど画期的な効果を発揮できることになった。
【図面の簡単な説明】
【図１】本発明の原理の説明図である。
【図２】本発明の実施の形態を示す断面図である。
【図３】本発明の別の実施の形態を示す断面図である。
【図４】本発明装置の斜視図である。
【図５】図４の正面図である。
【図６】フランジ付き雄ねじ筒の一例を示した斜視図である。
【図７】本発明の原理を示す別の説明図である。
【符号の説明】
１０    浴槽湯口装置
１１    第１筒
１１０  第１流通口
１１１  第１筒出口
１２    第２筒
１２０  第２流通口
１２１  第２筒出口
１３    シーソ状弁板
１４    第１湯管
１５    第２湯管
１６    山形突条
２０    フランジ付き雄ねじ筒
２１    フランジ
２２    雄ねじ
２３    内周面
２４    山形突条
２５    内筒
３０    給湯通路及び戻湯通路の金具
３１    給湯通路
３１１  接続口
３２    戻湯通路
３２１  接続口
４０    金網ストレーナ
【図１】
2004245437.tif 000003
【図２】
2004245437.tif 000004
【図３】
2004245437.tif 000005
【図４】
2004245437.tif 000006
【図５】
2004245437.tif 000007
【図６】
2004245437.tif 000008
【図７】
2004245437.tif 000009